(57)【要約】【課題】印刷装置の状態を正確にわかりやすくユーザーに報知する印刷制御装置を提供すること。【解決手段】印刷装置と通信可能に接続された印刷制御装置であって、印刷装置に装着された媒体の容量情報および前記媒体の装着状態情報のうち少なくとも１つを含む媒体情報を印刷装置から取得する媒体情報取得部と、媒体情報に応じた情報表示画面を生成する画面生成部と、情報表示画面を表示する表示部と、を備える印刷制御装置を提供すること。【選択図】図３
2016031575.tif 000002
【特許請求の範囲】
【請求項１】
印刷装置と通信可能に接続された印刷制御装置であって、
前記印刷装置に装着された媒体の容量情報および前記媒体の装着状態情報のうち少なくとも１つを含む媒体情報を前記印刷装置から取得する媒体情報取得部と、
前記媒体情報に応じた情報表示画面を生成する画面生成部と、
前記情報表示画面を表示する表示部と、
を備えることを特徴とする印刷制御装置。
【請求項２】
前記画面生成部は、前記媒体情報取得部が前記印刷装置から複数の前記媒体における前記媒体情報を取得した場合は、前記複数の媒体における情報を含む前記情報表示画面を生成することを特徴とする請求項１に記載の印刷制御装置。
【請求項３】
前記画面生成部は、前記媒体情報に基づいて前記媒体が印刷可能な状態であるか否かを判定し、判定結果に応じた前記情報表示画面を生成することを特徴とする請求項１または請求項２に記載の印刷制御装置。
【請求項４】
前記情報表示画面は、前記判定結果を表す文字情報および画像情報のうち少なくとも１つを含むことを特徴とする請求項３に記載の印刷制御装置。
【請求項５】
前記情報表示画面は、前記判定結果が印刷可能な状態ではない場合は、前記文字情報のみで構成されていることを特徴とする請求項４に記載の印刷制御装置。
【請求項６】
前記情報表示画面は、前記判定結果が印刷可能な状態である場合は、前記媒体を表す画像情報と前記媒体の前記容量情報を示す前記文字情報とを含むことを特徴とする請求項４に記載の印刷制御装置。
【請求項７】
前記情報表示画面は、前記媒体の前記容量情報において、容量の有無または容量の大小に応じた前記画像情報および前記文字情報を含むことを特徴とする請求項４に記載の印刷制御装置。
【請求項８】
前記画面生成部は、前記媒体情報の各項目の組み合わせと前記判定結果とを対応付ける対応テーブルに基づいて前記判定結果を決定することを特徴とする請求項１から請求項７のいずれか１項に記載の印刷制御装置。
【請求項９】
印刷装置と通信可能に接続された印刷制御装置によって前記印刷装置に装着された媒体の状態を管理する印刷管理方法であって、
前記媒体の容量情報および前記媒体の装着状態情報のうち少なくとも１つを含む媒体情報を取得する媒体情報取得工程と、
前記媒体情報に応じた情報表示画面を生成する画面生成工程と、
前記情報表示画面を表示する表示工程と、
を備えることを特徴とする印刷管理方法。
【請求項１０】
媒体に印刷する印刷装置および前記印刷装置と通信可能に接続された印刷制御装置を備える印刷システムであって、
前記媒体の着脱検出および前記媒体の容量検出のうち少なくとも１つを含む検出信号を検出するセンサー部と、
前記検出信号に基づいて、前記媒体の装着状態情報と容量情報のうち少なくとも１つを含む媒体情報を算出する情報算出部と、
前記媒体情報を前記印刷制御装置に送信する印刷装置通信部と、
を備える印刷装置と、
前記印刷装置から前記媒体情報を取得する媒体情報取得部と、
前記媒体情報に応じた情報表示画面を生成する画面生成部と、
前記情報表示画面を表示する表示部と、
を備える印刷制御装置と、
を備えることを特徴とする印刷システム。
【発明の詳細な説明】
【技術分野】
【０００１】
本発明は、印刷制御装置、印刷管理方法、および印刷システムに関する。
【背景技術】
【０００２】
従来から、複数の印刷装置および印刷装置を制御するためのＰＣ（Personal Computer）などから構成される印刷システムが知られていた。印刷装置は、ＪＩＳ規格のＡ０判やＢ０判などといった比較的大きなサイズの被印刷媒体に印刷する大型の印刷装置を含み、それぞれの印刷装置には印刷用紙として単票紙やロール紙を利用していた。また、１台の印刷装置に複数の単票紙やロール紙を給紙可能としたマルチ給紙対応の印刷装置も設置されていた。ＰＣでは、それぞれの印刷装置に対する印刷指示や、印刷装置におけるロール紙の装着有無などの各種状態の監視を行っていた（特許文献１）。
【先行技術文献】
【特許文献】
【０００３】
【特許文献１】特開２０１０−６５３５号公報
【発明の概要】
【発明が解決しようとする課題】
【０００４】
しかしながら、特許文献１による印刷装置では、ロール紙が印刷装置から取り外されたか否かという判別手段を用いてロール紙の装着有無を判定しているために、ロール紙が装着有りとなっていても必ずしも印刷可能になっているとは限らなかった。詳しくは、当該印刷装置では、ロール紙を両端で支持するアダプターがロール紙に正しく取り付けられていない状態であっても、ロール紙が装着状態であると判定していた。このような情報を取得したＰＣは、ユーザーに対してロール紙は装着されている状態である旨を報知するが、ＰＣ側から印刷指示を出したとしても、印刷装置はロール紙を正常に給紙することができないため、正常に印刷することができない虞があった。
【０００５】
本発明は、上述した従来の課題に鑑みてなされたものであり、印刷装置の状態を正確にわかりやすくユーザーに報知する印刷制御装置（ＰＣ）を提供することにある。
【課題を解決するための手段】
【０００６】
上記課題の少なくとも一部を解決するために、本発明は、以下の形態または適用例として実現することが可能である。
【０００７】
［適用例１］本適用例に係わる印刷制御装置は、印刷装置と通信可能に接続された印刷制御装置であって、前記印刷装置に装着された媒体の容量情報および前記媒体の装着状態情報のうち少なくとも１つを含む媒体情報を前記印刷装置から取得する媒体情報取得部と、前記媒体情報に応じた情報表示画面を生成する画面生成部と、前記情報表示画面を表示する表示部と、を備えることを特徴とする。
【０００８】
本適用例によれば、情報表示画面は、画面生成部によって印刷装置から取得した媒体情報に応じて生成されるため、ユーザーにわかりやすい。例えば、印刷装置に装着された媒体において印刷可能な状態である場合は、「印刷できます」といったユーザーにわかりやすい表現を用いた情報表示画面を生成することができる。
従って、印刷装置の状態を正確にわかりやすくユーザーに報知する印刷制御装置を提供することができる。
【０００９】
［適用例２］本適用例に係わる前記画面生成部は、前記媒体情報取得部が前記印刷装置から複数の前記媒体における前記媒体情報を取得した場合は、前記複数の媒体における情報を含む前記情報表示画面を生成することを特徴とする。
【００１０】
本適用例によれば、印刷装置に装着される複数の媒体における媒体情報を表示することができるため、ユーザーは複数の媒体の中から適切な媒体を選択することができる。
【００１１】
［適用例３］本適用例に係わる前記画面生成部は、前記媒体情報に基づいて前記媒体が印刷可能な状態であるか否かを判定し、判定結果に応じた前記情報表示画面を生成することを特徴とする。
【００１２】
本適用例によれば、印刷装置に装着された媒体が印刷可能な状態であるか否かを正確に判定することができる。
【００１３】
［適用例４］本適用例に係わる前記情報表示画面は、前記判定結果を表す文字情報および画像情報のうち少なくとも１つを含むことを特徴とする。
【００１４】
本適用例によれば、判定結果が文字情報および画像情報で表現されるため、ユーザーは判定結果の内容を容易に理解することができる。
【００１５】
［適用例５］本適用例に係わる前記情報表示画面は、前記判定結果が印刷可能な状態ではない場合は、前記文字情報のみで構成されていることを特徴とする。
【００１６】
本適用例によれば、印刷できない場合は、文字情報で具体的に正確に伝えることができるため、印刷失敗による用紙の無駄遣いが抑えられる。
【００１７】
［適用例６］本適用例に係わる前記情報表示画面は、前記判定結果が印刷可能な状態である場合は、前記媒体を表す画像情報と前記媒体の前記容量情報を示す前記文字情報とを含むことを特徴とする。
【００１８】
本適用例によれば、印刷が可能な場合は、画像情報を表示することでユーザーに対する視認性を高くする。一方で、画像情報とは識別が容易な文字情報において媒体の容量情報を表示する。このように構成することで、印刷可能な状態にあることがわかりやすく、印刷装置の媒体の状態を正確にユーザーに報知することができる。
【００１９】
［適用例７］本適用例に係わる前記情報表示画面は、前記媒体の前記容量情報において、容量の有無または容量の大小に応じた前記画像情報および前記文字情報を含むことを特徴とする。
【００２０】
本適用例によれば、媒体の容量に関する情報を正確にユーザーに報知することができる。ユーザーは、媒体の追加または媒体を取り替えるタイミングを予測することができる。
【００２１】
［適用例８］本適用例に係わる前記画面生成部は、前記媒体情報の各項目の組み合わせと前記判定結果とを対応付ける対応テーブルに基づいて前記判定結果を決定することを特徴とする。
【００２２】
本適用例によれば、対応テーブルによって媒体の多様な状態から正確に判定された判定結果を導出することができる。
【００２３】
［適用例９］本適用例に係わる印刷管理方法は、印刷装置と通信可能に接続された印刷制御装置によって前記印刷装置に装着された媒体の状態を管理する印刷管理方法であって、前記媒体の容量情報および前記媒体の装着状態情報のうち少なくとも１つを含む媒体情報を取得する媒体情報取得工程と、前記媒体情報に応じた情報表示画面を生成する画面生成工程と、前記情報表示画面を表示する表示工程と、を備えることを特徴とする。
【００２４】
本適用例によれば、情報表示画面は、画面生成工程によって媒体情報に応じて生成されるため、ユーザーにわかりやすい。例えば、印刷装置に装着された媒体において印刷可能な状態である場合は、「印刷ができます」といったユーザーにわかりやすい表現を用いた情報表示画面を生成することができる。従来による方法では、ユーザーは、媒体が取り外されていない、といった事象のみの情報で印刷できるか否かを判断しなければならなかったのに対し、本適用例による印刷管理方法では、ユーザーは、情報表示画面の表示内容通りに行動することで正しく印刷できる可能性が高くなっている。
従って、印刷装置の状態を正確にわかりやすくユーザーに報知する印刷管理方法を提供することができる。
【００２５】
［適用例１０］本適用例に係わる印刷システムは、媒体に印刷する印刷装置および前記印刷装置と通信可能に接続された印刷制御装置を備える印刷システムであって、前記媒体の着脱検出および前記媒体の容量検出のうち少なくとも１つを含む検出信号を検出するセンサー部と、前記検出信号に基づいて、前記媒体の装着状態情報と容量情報のうち少なくとも１つを含む媒体情報を算出する情報算出部と、前記媒体情報を前記印刷制御装置に送信する印刷装置通信部と、を備える印刷装置と、前記印刷装置から前記媒体情報を取得する媒体情報取得部と、前記媒体情報に応じた情報表示画面を生成する画面生成部と、前記情報表示画面を表示する表示部と、を備える印刷制御装置と、を備えることを特徴とする。
【００２６】
本適用例によれば、情報表示画面は、画面生成部によって印刷装置から取得した媒体情報に応じて生成されるため、ユーザーにわかりやすい。例えば、印刷装置に装着された媒体において印刷可能な状態である場合は、「印刷できます」といったユーザーにわかりやすい表現を用いた情報表示画面を生成することができる。従来による方法では、ユーザーは、媒体が取り外されていない、といった事象のみの情報で印刷できるか否かを判断しなければならなかったのに対し、本適用例による印刷システムでは、ユーザーは、情報表示画面の表示内容通りに行動することで正しく印刷できる可能性が高くなっている。
従って、印刷装置の状態を正確にわかりやすくユーザーに報知する印刷システムを提供することができる。
【図面の簡単な説明】
【００２７】
【図１】印刷システムの概略構成を説明する図。
【図２】プリンターの外観を概略的に示す斜視図。
【図３】印刷システムの概略構成を示すブロック図。
【図４】対応テーブルの一例を表す図。
【図５】情報表示画面の一例を示す図。
【図６】情報表示処理の流れを示すフローチャート図。
【図７】変形例における情報表示画面の一例を示す図。
【図８】変形例における情報表示画面の一例を示す図。
【発明を実施するための形態】
【００２８】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。
【００２９】
（実施形態１）
（印刷システムの概要）
図１は、印刷システム１００の概略構成を説明する図である。図５は、情報表示画面の一例を示す図である。
図１に示す印刷システム１００は、情報機器を利用する会社等で使われるシステムであり、オフィス１に設置されるＰＣ１０、印刷室５に設置される複数のプリンター５０などから構成されている。ＰＣ１０は、一般的なパーソナルコンピューターであり、プリンター５０などの印刷状況の監視や印刷指示をするソフトウェア等が実行されている。
【００３０】
ＰＣ１０とプリンター５０とは、ＬＡＮ３（Local Area Network）を介して通信可能に接続されており、ＰＣ１０において生成された画像データ等の印刷データがプリンター５０に送信される。プリンター５０では、受信した印刷データがＰＣ１０から指定された印刷用紙に印刷される。プリンター５０では、複数の給紙装置７１が備えられており、図１に示すプリンター５０では、１台のプリンター５０に２台の給紙装置７１が備えられている。また、給紙装置７１は、好適例として、ロール紙７を給紙する給紙機構である。ロール紙７を給紙可能なプリンター５０では、印刷前後のロール紙７を自動でカットする機構も備えられており、長尺などの長さや縦横比が多様な非定型の印刷物を生産することができる。
【００３１】
ＰＣ１０では、プリンター５０からロール紙７の装着状態や用紙残量などに係わる情報を取得し、プリンター５０に装備されているロール紙７が印刷可能な状態にあるか否かの情報を生成し、ユーザーに正確にわかりやすく報知する。図５に示す表示画面は、ＰＣ１０の表示装置に表示される画面の例であり、「上段給紙装置」ではロール紙７をイメージしたアイコンの隣に「印刷できます」が表示されおり、「下段給紙装置」では「ロール紙が未装着です」と表示されている。「上段給紙装置」においてロール紙７における印刷が可能であり、「下段給紙装置」において印刷するためには印刷室５に出向いてロール紙を装着する必要があることを、ユーザーに容易に認識させることができる。
【００３２】
従来の印刷装置およびＰＣでは、ロール紙が取り外されていないという事象を捉えて、ユーザーに対して「ロール紙が装着状態である」と知らされていた。ユーザーは、印刷装置に対して印刷指示する前に、印刷装置が正常にロール紙を給紙できるかどうかを確かめる必要があり、そのためには印刷室５まで出向いて印刷装置を実際に確認しなければならなかった。本実施形態では、プリンター５０の給紙装置７１およびロール紙７の状態を正確にわかりやすく伝えているため、ユーザーは印刷室５まで出向くことなく、安心してＰＣから印刷装置に印刷指示することができる。
【００３３】
このような効果を実現するための印刷システム１００およびＰＣ１０の構成について、以下詳細に説明する。尚、ＰＣ１０は、印刷制御装置に相当し、プリンター５０は印刷装置に相当する。
【００３４】
（プリンター５０の概要）
図２はプリンター５０の外観を概略的に示す斜視図である。
プリンター５０は、例えば、ＪＩＳ規格のＡ０判やＢ０判などといった比較的大きなサイズの被印刷媒体に印刷可能な大型のインクジェット式プリンターである。ロール紙７は、被印刷媒体の一例であり、印刷用紙がロール状に巻かれた状態で供給されている。プリンター５０は、操作パネル５３１、２台（上段と下段）の給紙装置７１、センサー部６０などから構成される。また、これらの構成部は、制御部８０（後述する）によって集中制御されている。尚、被印刷媒体およびロール紙７は媒体に相当する。
【００３５】
操作パネル５３１は、ＬＣＤ（Liquid Crystal Display）等の表示装置と、タッチパネルおよび操作ボタンなどの入力装置で構成され、表示装置にはプリンター５０に係わる各種設定情報などが表示され、入力装置ではユーザーの操作により各種設定情報が入力される。例えば、ユーザーはロール紙７を給紙装置７１に装着すると、装着したロール紙７の用紙種類をプリンター５０に設定する。具体的には、表示装置に「普通紙」、「フォトペーパー」、「マットペーパー」などの選択肢が表示されると、ユーザーは表示された選択肢の中から装着したロール紙７の用紙種類を選択し、決定ボタンを押下する。選択された用紙種類の情報は、操作パネル５３１から制御部８０に出力される。
【００３６】
給紙装置７１は、アダプター７３、アダプターホルダー７５、ロックレバー７７などから構成されている。
【００３７】
アダプター７３は、ロール紙７の芯の両端に装着されるアダプター部品であり、ロール紙７に装着された状態でロール紙７を滑らかに回転可能にする。アダプター７３は、従動軸部であり、プリンター５０内部の用紙搬送経路上（図示は省略）の駆動力により用紙搬送力が生じ、ロール紙７から引き出された用紙が搬送されることで回転する。また、アダプター７３は、ロール紙７から給紙された用紙にたるみが発生しないように、回転を抑制する制動作用も兼ねている。
【００３８】
アダプターホルダー７５は、アダプター７３をプリンター５０に支持する支持部品である。アダプターホルダー７５は、プリンター５０の構造上の骨組みとなるフレームまたは筐体に固定されている。
アダプターホルダー７５とアダプター７３とは互いに嵌合する嵌合部を有しており、両者は嵌合した状態でスライドさせることができる。アダプターホルダー７５はプリンター５０に固定されているため、ユーザーはアダプター７３が装着されたロール紙７をスライドさせ、プリンター５０の内側に移動させる。
【００３９】
ロックレバー７７は、アダプター７３とアダプターホルダー７５とを固定する固定部品であり、回転するレバー部が備えられている。レバー部は、所定の角度（例えば約４５°）回転されることで開放状態から固定状態になる。アダプター７３がスライドされてアダプターホルダー７５の所定の位置まで移動するとロックレバー７７のレバー部は回転可能となり、レバー部が所定の角度回転されるとアダプター７３とアダプターホルダー７５とが固定される。このようにロックレバー７７によって固定された状態で、ロール紙７の用紙は、給紙装置７１において給紙可能な状態になる。
尚、プリンター５０には、上段と下段に２台の給紙装置７１が装備されている。以降、上段の給紙装置７１を上段給紙装置、下段の給紙装置７１を下段給紙装置と呼称する。
【００４０】
センサー部６０は、アダプター着脱センサー６１、用紙幅センサー６３、用紙残量センサー６５、用紙切れセンサー６７などから構成されている。いずれのセンサーも、制御部８０によって制御され、センシングした各種検出信号は制御部８０に出力される。
尚、センサー部６０は、印刷装置のセンサー部に相当する。
【００４１】
アダプター着脱センサー６１は、小型ボタンスイッチなどのスイッチまたは光学式のセンサーであり、ロックレバー７７のレバー部が所定の角度まで回転されると、スイッチが押下される構造または反射光が検出される構造である。所定の角度まで回転されたことが検出された場合は、アダプター７３はアダプターホルダー７５に固定されていることになる。また、同時にロール紙７は給紙装置７１に装着されて給紙可能な状態になっている。尚、所定の角度まで回転されたことを検出する手段として、所定の角度まで回転した位置に電気的に導通する回路を備えて同様な検出をしても良い。
尚、アダプター着脱センサー６１は、媒体の着脱検出に相当する。
【００４２】
用紙幅センサー６３は、給紙される用紙幅の長さを検出する光学センサーであり、用紙幅方向に往復移動してインクを吐出して印刷するキャリッジ（図示は省略）に備えられている。用紙幅センサー６３は、往復移動するキャリッジ側から出射された光が用紙幅方向の用紙端において反射される光の変化量を検出する。キャリッジの移動量は、エンコーダー（図示は省略）を用いてカウントされるため変化量が検出された位置が算出され、用紙幅が求められる。
【００４３】
また、用紙幅センサー６３は、キャリッジに備えられる構成に限らず、アダプター７３に光学センサーが備えられる構成であっても良い。ロール紙７の両端に装着された２つのアダプター７３において、一方のアダプター７３側から他方のアダプター７３に出射した光の反射光の到達速度を検出して距離を算出しても良い。算出した距離が用紙幅として出力される。
【００４４】
用紙残量センサー６５は、装着されたロール紙７の用紙残量の長さを検出するセンサーであり、ロール紙７が装着されたときにロール紙７に印刷されている用紙残量マーカーを読み取る光学式のセンサーである。用紙残量マーカーは、ロール紙７の用紙先端部に印刷されているバーコードなどのマーカーであり、ロール紙７製造時に印刷されている。また、プリンター５０を含む印刷装置において、ロール紙７の用紙残量がある状態でロール紙７が取り外される場合では、取り外される前にロール紙７の用紙先端部に用紙残量情報が含まれた用紙残量マーカーが印刷される。
尚、用紙残量センサー６５は、ロール紙７の重量を計測するセンサーであっても良く、計測した重量変化から用紙残量を算出する手段を用いても良い。また、ロール紙７の直径を計測するセンサーを備え、直径の長さの変化から用紙残量を算出する方法であっても良い。
尚、用紙残量センサー６５は、媒体の容量検出に相当する。
【００４５】
用紙切れセンサー６７は、ロール紙７の用紙残量がなくなったことを検出するセンサーであり、ロール紙７から搬送される用紙の終端を検出する光学式のセンサーである。尚、上述のキャリッジに備えられる用紙幅センサー６３を用いて、用紙の終端を検出する構成であっても良い。
【００４６】
（印刷システムのブロック図）
図３は、印刷システム１００の概略構成を示すブロック図である。印刷システム１００は、ＰＣ１０、プリンター５０、およびＬＡＮ３などから構成される。
【００４７】
（ＰＣ１０のブロック図）
ＰＣ１０は、パーソナルコンピューターであり、表示部１３、操作部１５、通信部１７、時計部１９、制御部３０、および記憶部４０などから構成される。
表示部１３は、好適例として液晶パネルを採用している。尚、表示面にタッチパネルを備えても良い。表示部１３では、制御部３０の制御により生成された表示画面を表示する。尚、表示部１３は表示部に相当する。
【００４８】
操作部１５は、キーボード、マウスなどの入力装置である。通信部１７は、ネットワークアダプターであり、ＰＣ１０とプリンター５０との間でＬＡＮ３を介して、印刷に係る様々なデータを送受信する。時計部１９は、リアルタイムクロックであり、例えばカレンダー機能、時計機能、ストップウォッチ機能などの計時機能を有している。
【００４９】
制御部３０は、ＣＰＵ（Central Processing Unit）であり、ＰＣ１０を構成する表示部１３、操作部１５、通信部１７、時計部１９、記憶部４０などの各部を制御する。
制御部３０では、用紙情報取得部３１、表示画面生成部３３などを機能部として有している。但し、これらの機能部は一実施例として記載したものに過ぎず、必ずしもこれらすべての機能部を必須構成要素としなければならないわけではない。また、これら以外の機能部を必須構成要素としても良い。
【００５０】
用紙情報取得部３１は、プリンター５０の給紙装置７１に装着される用紙の状態を表す用紙情報を取得する。詳しくは、用紙情報取得部３１では、通信部１７を制御して用紙情報要求コマンドをプリンター５０へ送信し、応答を待つ。プリンター５０から用紙の状態を表す用紙情報が応答として戻ってくると、その内容を内部変数（記憶部４０）に取り込む。プリンター５０に給紙装置７１が複数台装備されている場合は、給紙装置７１毎に用紙情報を取得し給紙装置７１の台数分の用紙情報が内部変数に取り込まれる。プリンター５０から送信される用紙情報には、プリンター５０のセンサー部６０により検出された検出信号に基づいて制御部８０により算出された用紙に係る用紙の残量情報、用紙の装着状態に関する情報、用紙幅に関する情報、操作パネル５３１により入力された用紙種類などの各種情報が含まれている。用紙情報取得部３１は、取得した用紙情報を表示画面生成部３３に出力する。
尚、用紙情報は媒体情報に、用紙の残量情報は媒体の容量情報に、用紙の装着状態に関する情報は装着状態情報に、用紙情報取得部３１は媒体情報取得部にそれぞれ相当する。
【００５１】
表示画面生成部３３は、用紙情報取得部３１から入力した用紙情報から表示部１３に表示する表示画面を生成する。詳しくは、記憶部４０に予め記憶される対応テーブル４１（後述する）を参照して、用紙情報取得部３１から入力した用紙情報に対応する表示情報を取得する。表示情報には、用紙の状態、対象用紙が装着されており印刷可能な状態であるか否かなどを表現した文字列、およびそれらの視認性を高めるアイコンの表示有無などの情報が含まれている。表示画面生成部３３は、表示情報に基づいて記憶部４０に格納される文字列データ、アイコンデータ（図示は省略）を記憶部４０の描画用記憶領域に配置して表示画面を構成し、記憶部４０に表示画面データ４５として格納する。
尚、表示画面生成部３３は、画面生成部に相当する。
【００５２】
記憶部４０は、ＲＯＭ（Read Only Memory）やフラッシュＲＯＭ、ＲＡＭ（Random Access Memory）、ＨＤＤ（Hard Disk Drive）、ＳＳＤ（Solid State Drive）等の記憶装置によって構成され、制御部３０の各機能部を実現するための各種プログラム、データ等を記憶している。また、ＶＲＡＭ（Video RAM）などの描画用記憶領域、各種処理の処理中データや変数の値、処理結果などを一時的に記憶するワークエリアなどを有する。
記憶部４０には、対応テーブル４１、表示画面データ４５などが格納されている。
【００５３】
図４は、対応テーブルの一例を表す図である。対応テーブル４１は、入力情報としての用紙情報４１１と出力情報としての表示情報４２１との対応付けが定義されたテーブルである。
【００５４】
用紙情報４１１は、用紙情報取得部３１によってＰＣ１０側に取得されるプリンター５０の給紙装置７１に関する情報であり、アダプター装着有無４１２、用紙種類設定有無４１３、用紙幅取得有無４１４、残量情報取得有無４１５、用紙残量の有無４１６の各項目の情報を有している。各項目の内容は、「有り」であれば「１」を示し、「無し」であれば「０」を示している。例えば、用紙情報の組合わせ４３１では、全ての項目が「１」であるため、用紙情報の各項目が全て「有り」である組合せであることを示している。
【００５５】
アダプター装着有無４１２は、ロール紙７が給紙装置７１に正しく装着されているか否かを示す情報である。具体的には、プリンター５０のアダプター着脱センサー６１において検出されたアダプター７３の装着有無を示す情報である。アダプター装着有無４１２が「有り」の場合は、対象とする給紙装置７１にロール紙７が正しく装着されており、用紙残量があれば給紙可能であることを示している。「無し」の場合は、給紙装置７１にロール紙７が存在しないか、正しく装着されていないことを示している。
【００５６】
用紙種類設定有無４１３は、プリンター５０の操作パネル５３１により対象の給紙装置７１に装着されているロール紙７の用紙種類が入力されているか否かを示す情報である。用紙種類設定有無４１３が「有り」の場合は、装着されているロール紙７の種類が選択されていることを示し、「無し」の場合は選択されていないことを示している。
【００５７】
用紙幅取得有無４１４は、用紙幅センサー６３においてロール紙７の用紙幅が検出され、用紙幅の情報が取得できているか否かを示す情報である。用紙幅取得有無４１４が、「有り」の場合は装着されているロール紙７の用紙幅が取得されており、「無し」の場合は用紙幅が取得されていないことを示している。
【００５８】
残量情報取得有無４１５は、装着されているロール紙７の用紙残量を取得できたか否かを示す情報である。具体的には、用紙残量センサー６５においてロール紙７の用紙残量が検出され、用紙残量の情報が取得されているか否かを示す情報である。残量情報取得有無４１５が「有り」の場合は、用紙残量の情報が取得できており、「無し」の場合は用紙残量の取得ができていないことを示している。
【００５９】
用紙残量の有無４１６は、ロール紙７に印刷する用紙が残っているか否かを示す情報である。詳しくは、用紙残量センサー６５、用紙切れセンサー６７による検出情報およびプリンター５０の制御部８０により用紙残量情報が算出される。用紙残量の有無４１６が「有り」の場合は用紙残量があることを示し、「無し」の場合は用紙残量が無いことを示している。用紙残量「有り」「無し」の判断について、用紙切れセンサー６７が用紙切れを検出している場合、用紙残量センサー６５の情報にかかわらず用紙残量「無し」と判断しても良い。また、用紙切れセンサー６７が用紙切れを検出していないが、用紙残量センサー６５の情報が残量無しを示している場合には、用紙残量「有り」と判断し、印刷を続行できる状態としても良い。
【００６０】
表示情報４２１は、用紙情報４１１の各項目の組合せ毎に対応付けられた表示画面を構成する表示情報であり、状態メッセージ４２２、行動メッセージ４２３、ロール紙アイコン４２４、用紙種類表示内容４２５、用紙幅表示内容４２６、用紙残量表示内容４２７の情報を有している。
【００６１】
状態メッセージ４２２は、ユーザーに報知する文字情報であり、用紙情報４１１の状態に関する情報が簡潔な表現で定義されている。状態メッセージ４２２の項目に「未定義」と記載されている項目は、文字情報は定義されていない。
【００６２】
行動メッセージ４２３は、ユーザーに報知する文字情報であり、用紙情報４１１の状態と状態メッセージ４２２の表示内容とに基づいてユーザーに対して次にとるべき行動を示唆する情報が簡潔な表現で定義されている。行動メッセージ４２３の項目に「未定義」と記載されている項目は、文字情報は定義されていない。
【００６３】
ロール紙アイコン４２４は、ユーザーに報知する画像情報であり、ロール紙７のイメージを有したアイコンを表示するか否かといった情報が定義されている。「表示」では、ロール紙７のアイコンが表示され、「非表示」ではアイコンは表示されない。図４の例では、アダプター装着有無４１２が「１」である場合は、ロール紙アイコン４２４は「表示」であり、「０」である場合は「非表示」が定義されている。
【００６４】
用紙種類表示内容４２５は、用紙種類を示す文字情報であり、用紙情報取得部３１により取得された用紙種類が表示される。用紙種類設定有無４１３が「１」である場合は、「用紙種類名称文字」が定義されており、取得した用紙種類名称が表示される。用紙種類設定有無４１３が「０」である場合は、取得名称は表示できないため「−を表示」が定義されており「−」が表示される。アダプター装着有無４１２が「０」である場合は、他の項目の内容に係わらず「非表示」が定義されている。
【００６５】
用紙幅表示内容４２６は、用紙幅を数値で表示する文字情報であり、用紙情報取得部３１により取得された用紙幅が表示される。用紙幅取得有無４１４が「１」である場合は、用紙幅表示内容４２６には「幅数値」が定義されており、用紙幅の数値が表示される。「０」である場合は、用紙幅は取得できないため「−を表示」が定義されており「−」が表示される。アダプター装着有無４１２が「０」である場合は、他の項目の内容に係わらず「非表示」が定義されている。
【００６６】
用紙残量表示内容４２７は、用紙の残量を数値で表示する文字情報であり、用紙情報取得部３１により取得された用紙の残量情報が表示される。残量情報取得有無４１５が「１」である場合は、用紙残量表示内容４２７には「残量数値」が定義されており、用紙残量の数値が表示される。「０」である場合は、用紙残量は取得できないため「−を表示」が定義されており、「−」が表示される。アダプター装着有無４１２が「０」である場合は、他の項目の内容に係わらず「非表示」が定義されている。
尚、表示情報４２１は判定結果に相当する。
【００６７】
表示画面データ４５は、表示画面生成部３３により生成された表示画面データが記憶されたイメージデータである。表示画面データ４５は、表示部１３により液晶パネルなどに表示され、ユーザーに視認される。
図５は、情報表示画面の一例を示す図である。図５に示す情報表示画面４５１は、表示画面データ４５が表示部１３により表示された画面を示している。情報表示画面４５１には、複数の表示枠が配置されており、表示枠の表示内容が変更されて表示される構造になっている。表示枠は、給紙装置名枠４７１、メッセージ枠４５３、アイコン枠４５４、用紙種類枠４５５、用紙幅枠４５６、用紙残量枠４５７から構成されている。
【００６８】
給紙装置名枠４７１は、給紙装置７１の名称が表示される。情報表示画面４５１には、左側に「上段給紙装置」、右側に「下段給紙装置」が記載されている。左側は、「上段給紙装置」に関する用紙情報であり、右側は「下段給紙装置」に関する用紙情報でることを示している。尚、左側の「上段給紙装置」の表示例は、図４に示す用紙情報の組合せ４３１の場合における表示情報４２１を表示した画面表示例である。また、右側の「下段給紙装置」の表示例は、組合せ４３３の場合における表示情報４２１を表示した画面表示例である。
【００６９】
メッセージ枠４５３には、図４で定義された状態メッセージ４２２および行動メッセージ４２３の文字情報が表示される。組合せ４３１では、状態メッセージ４２２が未定義で、行動メッセージ４２３が「印刷できます」であるため、「上段給紙装置」のメッセージ枠４５３には、行動メッセージ４２３の「印刷できます」が表示されている。組合せ４３３では、状態メッセージ４２２が「ロール紙が未装着です」であり、行動メッセージ４２３が未定義であるため、「下段給紙装置」のメッセージ枠４５３には状態メッセージ４２２の「ロール紙が未装着です」が表示されている。尚、図示は省略しているが、状態メッセージ４２２および行動メッセージ４２３のいずれも未定義ではない場合は、状態メッセージ４２２および行動メッセージ４２３の両方の文字情報がメッセージ枠４５３内に表示される。
【００７０】
アイコン枠４５４には、ロール紙アイコン４２４（図４）で定義された内容に従って表示または非表示にされる。組合せ４３１では、ロール紙アイコン４２４が「表示」であるため、「上段給紙装置」のアイコン枠４５４にロール紙７のイメージを表す画像が表示されている。組合せ４３３では、ロール紙アイコン４２４は「非表示」であるため「下段給紙装置」では、アイコンが表示されていない。
【００７１】
用紙種類枠４５５には、用紙種類表示内容４２５（図４）で定義された内容に従って表示内容が決定される。組合せ４３１では、「用紙種類名称文字」であるため、「上段給紙装置」では、取得された用紙種類名称である「普通紙」の文字列が表示されている。組合せ４３３では、「非表示」であるため、「下段給紙装置」では、用紙種類枠４５５が表示されていない。
【００７２】
用紙幅枠４５６には、用紙幅表示内容４２６（図４）で定義された内容に従って表示内容が決定される。組合せ４３１では、「幅数値」であるため、「上段給紙装置」では、取得された用紙幅の数値である「４４インチ（１１１８ｍｍ）」が表示されている。組合せ４３３では、「非表示」であるため、「下段給紙装置」では、用紙幅枠４５６が表示されていない。
【００７３】
用紙残量枠４５７には、用紙残量表示内容４２７（図４）で定義された内容に従って表示内容が決定される。組合せ４３１では、「残量数値」であるため、「上段給紙装置」では、取得された用紙残量の数値である「３ｍ１２ｃｍ」が表示されている。組合せ４３３では、「非表示」であるため、「下段給紙装置」では、用紙残量枠４５７が表示されていない。
【００７４】
（プリンター５０のブロック図）
図３に戻る。
プリンター５０は、印刷部５１、操作部５３、通信部５５、センサー部６０、および制御部８０などから構成される。プリンター５０では、複数台の給紙装置７１を備える構成であっても良く、その場合は１台の給紙装置７１に対して１セットのセンサー部６０が構成される。
【００７５】
印刷部５１は、プリンターＡＳＩＣ（Application Specific Integrated Circuit）、プリンターエンジン（いずれも図示は省略）などから構成される。プリンターＡＳＩＣは、プリンターエンジンを制御する集積回路であり、制御部８０から印刷指示を受けると、その印刷指示の対象となる印刷オブジェクトやそれらの配置情報等に基づいて印刷データを生成し、ロール紙７などの印刷用紙に出力するようプリンターエンジンを制御する。プリンターエンジンは、印刷ヘッドから印刷用紙へインクを吐出することにより印刷を行う周知のインクジェットプリンター機構を有して構成されている。
【００７６】
操作部５３は、上述した操作パネル５３１を備えて構成されている。制御部８０の制御によりロール紙７の用紙種類の情報をユーザー操作により取得し、取得した用紙種類の情報は制御部８０に出力される。
【００７７】
通信部５５は、無線ＬＡＮ（Local Area Network）アダプターなどであり、ＰＣ１０とＩＰ（Internet Protocol）を用いて印刷する元画像データの受信や各種コマンドや他のデータの送受信を行う。通信部５５は、ＰＣ１０側から送信される用紙情報要求コマンドを受信し、制御部８０へ出力する。制御部８０は、給紙装置７１毎に用紙情報のデータを取得すると用紙情報要求コマンドに対する応答コマンドとして通信部５５を介してＰＣ１０に送信する。尚、通信部５５は、印刷装置通信部に相当する。
【００７８】
センサー部６０は、上述したアダプター着脱センサー６１、用紙幅センサー６３、用紙残量センサー６５、用紙切れセンサー６７などから構成される。
【００７９】
制御部８０は、ＣＰＵ（Central Processing Unit）、ＲＯＭ（Read Only Memory）、ＲＡＭ（Random Access Memory）、ＮＶＲＡＭ（Non Volatile Random Access Memory）、ＥＥＰＲＯＭ（Electrically Erasable Programmable Read Only Memory)などの演算処理装置、揮発性メモリー、不揮発性メモリーなどで構成されている。また、これらを内蔵したＡＳＩＣであっても良い。制御部８０は、プリンター５０の印刷部５１、操作部５３、通信部５５、センサー部６０などの各部を制御する。
【００８０】
制御部８０は、コマンド受付処理部８１、アダプター着脱取得部８３、用紙種類取得部８５、用紙幅取得部８７、用紙残量算出部９１、用紙切れ取得部９３、用紙残量マーカー部９５などを機能部として有している。但し、これらの機能部は一実施例として記載したものに過ぎず、必ずしもこれらすべての機能部を必須構成要素としなければならないわけではない。また、これら以外の機能部を必須構成要素としても良い。
尚、アダプター着脱取得部８３、用紙種類取得部８５、用紙幅取得部８７、用紙残量算出部９１、用紙切れ取得部９３は、印刷装置の情報算出部に相当する。
【００８１】
コマンド受付処理部８１は、プリンター５０において発生するイベントを統括的に制御するメインループであり、コマンド受信やセンシング割り込み発生などのイベントを受けてそれぞれを対応する機能部の処理に振り分ける。具体的には、操作部５３により用紙種類の情報が取得されたコマンドを受け付けると、用紙種類取得部８５に処理が移される。アダプター着脱センサー６１からアダプター７３の着脱信号発生の割り込みが入るとアダプター着脱取得部８３に処理が移される。用紙幅センサー６３から用紙幅が検出されると用紙幅取得部８７に処理が移される。用紙残量センサー６５から装着されたロール紙７の用紙残量情報が入ると、用紙残量算出部９１に処理が移され用紙残量が算出される。用紙切れセンサー６７から、用紙残量がなくなったことが検出されると用紙切れ取得部９３に処理が移される。
また、コマンド受付処理部８１では、ＰＣ１０から送信された用紙情報要求コマンドを受信すると、各機能部により取得または算出された用紙情報を応答として通信部５５を介してＰＣ１０に送信する。
【００８２】
用紙残量マーカー部９５は、使用途中のロール紙７が取り外されるときに実行される処理であり、ロール紙７の用紙先端部に用紙残量マーカーを印刷する。用紙残量マーカーはバーコードまたは一般的な２次元コードなどのマーカーであり、用紙残量の長さを示す数値がマーカーパターンとして形成され印刷される。
用紙残量算出部９１では、用紙残量センサー６５により検出された用紙残量情報を取得すると、その値を初期値として、印刷時におけるロール紙７のペーパーフィード量分を減算して用紙残量情報を更新する。
【００８３】
（ＰＣにおける制御プログラムの処理フロー）
図６は、情報表示処理の流れを示すフローチャート図である。
以下のフローは、ＰＣ１０において記憶部４０に記憶される制御プログラム（図示は省略）に基づいて、制御部３０が通信部１７、記憶部４０を含む各部を制御することにより実行される。尚、本フローの実行により、用紙情報取得部３１、表示画面生成部３３、および表示部１３の機能が実現される。
尚、本フローは印刷管理方法に相当する。
【００８４】
ステップＳ１１０では、プリンター５０に用紙情報要求コマンドを送信する。
ステップＳ１２０では、プリンター５０から給紙装置７１の台数分の用紙情報を取得する。詳しくは、プリンター５０に給紙装置７１が複数台装備されている場合は、ロール紙７が未装着であっても装備されている全ての給紙装置７１に対応する用紙情報を取得する。
尚、ステップＳ１２０は、媒体情報取得工程に相当する。
【００８５】
ステップＳ１３０では、給紙装置７１の台数分の回数を繰り返す。給紙装置７１の１台につきステップＳ１３０〜Ｓ１７０までの一連の処理を行い、装備されている給紙装置７１の台数分に相当する回数の処理を繰り返す。
【００８６】
ステップＳ１４０では、用紙情報を変数Ｘに格納する。詳しくは、変数Ｘは、例えば１バイトの変数であり、ビット単位に「１」「０」が格納される。ＭＳＢ（Most Significant Bit）からＬＳＢ（Least Significant Bit）の順番に各ビットをｂ７〜ｂ０として、各ビットに取得した用紙情報の内容をセットする。具体的には、アダプター装着有無４１２（図４）をｂ７に、用紙種類設定有無４１３をｂ６に、用紙幅取得有無４１４をｂ５に、残量情報取得有無４１５をｂ４に、用紙残量の有無４１６をｂ３に割り当て、それぞれの有または無を「１」または「０」として設定する。
【００８７】
ステップＳ１５０では、対応テーブル４１（図４）を参照して、用紙情報４１１と変数Ｘとが一致する表示情報４２１を取得する。具体的には、変数Ｘに格納された給紙装置７１に対応する用紙情報を、対応テーブル４１の用紙情報４１１と比較する。対応テーブル４１の用紙情報４１１の値を変数Ｘと同様な方法で各ビットに割り当てた変数Ｙを作成し、変数Ｘと変数Ｙとのｂ７〜ｂ３が一致した用紙情報４１１に対応する表示情報４２１を取得する。
【００８８】
ステップＳ１６０では、表示情報４２１の内容を表示画面データ４５に書き込む。詳しくは、ステップＳ１５０で取得した表示情報４２１に示される状態メッセージ４２２、行動メッセージ４２３、ロール紙アイコン４２４、用紙種類表示内容４２５、用紙幅表示内容４２６、用紙残量表示内容４２７の指定内容に従って表示画面を生成し、記憶部４０の表示画面データ４５に格納する。給紙装置７１が複数台ある場合は、生成された表示画面が表示画面データ４５に追加される。
尚、ステップＳ１４０〜Ｓ１６０は、画面生成工程に相当する。
【００８９】
ステップＳ１７０では、給紙装置７１の台数分の回数まで繰り返したら終了する。ステップＳ１３０〜Ｓ１７０までが繰り返され、プリンター５０が装備する給紙装置７１毎の情報を含む表示画面データ４５が生成され格納される。
【００９０】
ステップＳ１８０では、表示画面データ４５を画面に表示する。詳しくは、給紙装置７１毎に生成された表示画面データ４５を表示装置に表示する。
尚、ステップＳ１８０は、表示工程に相当する。
【００９１】
以上述べたように、本実施形態によれば以下の効果を得ることができる。
用紙情報取得部３１は、プリンター５０により検出されたロール紙７に係わる用紙の状態を示す用紙情報を取得する。用紙情報には、用紙の装着状態、用紙種類、用紙幅、用紙残量などの用紙に関する多様な情報が含まれている。表示画面生成部３３は、対応テーブル４１を参照して、取得した用紙情報から、対象の用紙において印刷可能か否かを判定している。具体的には、対応テーブル４１（図４）では、用紙情報４１１の各項目の組み合わせ毎に、決定した判定結果を表現した状態メッセージ４２２および行動メッセージ４２３を含む表示情報４２１が示されている。
このようにして、ＰＣ１０では、多様な用紙情報に基づいて対象の用紙において印刷可能か否かを判定している。判定結果に応じて生成された情報表示画面４５１（図５）は、ユーザーにとって、用紙が印刷可能な状態にあるか否かを容易に認識することができる表示画面になっている。従来技術では、ユーザーは、媒体が取り外されたか否かといった事象のみの情報により印刷指示をせざるを得ない状況であった。本実施形態では、ＰＣ１０において、印刷可能な状態にあるか否かといった判定をしているため、印刷可能な状態と判定されていれば、プリンター５０において印刷が成功する可能性が高く、ユーザーは、安心してプリンター５０に対して印刷指示をすることができるようになる。
【００９２】
また、プリンター５０により検出され、用紙情報取得部３１により取得された用紙情報には、多様な情報が含まれているため、表示画面生成部３３は、豊富な情報量により、表示情報４２１（図４）に示されるように精度の高い判定結果を導出することができている。更に、表示情報４２１では、印刷可能な状態にあるか否かを判定しているため、例えば「印刷できます」といったユーザーにわかりやすい表現を用いた情報表示画面４５１を生成することができる。
従って、プリンター５０が印刷用紙に印刷可能な状態にあるか否かの状態を正確にわかりやすくユーザーに報知するＰＣ１０を提供することができる。
【００９３】
（変形例１）
上述の実施形態では、ロール紙７の残量情報については、残量の有無に関するメッセージを表示する情報表示画面としていたが、この構成に限定されない。ロール紙７の残量の有無ばかりでなく残量の大小に応じた情報表示画面としても良い。まず、用紙情報取得部３１により取得された用紙の残量情報を所定容量と比較して、残量の大小を決定する。残量の大小が決定されると、それに対応するアイコンおよびメッセージを表示する。これらのアイコンおよびメッセージは、図４に示す対応テーブル４１の表示情報４２１に定義されたアイコンおよびメッセージに上書きされて表示されても良い。以下にそれぞれの状態におけるアイコンおよびメッセージについて、具体的に説明する。
【００９４】
ロール紙７の用紙残量が少ない場合は、例えば、残量が少ない状態の所定容量を５０ｃｍとすれば、取得した用紙の残量情報が５０ｃｍ以下であるか否かを判定し、５０ｃｍ以下であれば残量が少ない状態のアイコンおよびメッセージを表示し、メッセージ枠４５３には通常表示される「印刷できます」に変えて「用紙が残り少なくなりました」を表示し、用紙残量が少ないことを明示する。図示しないが、アイコン枠４５４に表示されたロール紙７をイメージする画像に対して注意を促すイメージである感嘆符のマークを重畳しても良い。用紙種類枠４５５、用紙幅枠４５６、用紙残量枠４５７には、用紙情報取得部３１により取得された用紙情報をそれぞれ表示する。
【００９５】
ロール紙７の用紙残量が十分にある場合は、例えば、残量が十分にある状態の所定容量を３ｍ以上とすれば、取得した用紙の残量情報が３ｍ以上であるか否かを判定し、３ｍ以上であれば残量が十分にある状態のアイコンおよびメッセージを表示し、メッセージ枠４５３には通常表示される「印刷できます」に変えて「十分な量の用紙があります」を表示し、用紙残量が十分にあることを明示する。図示しないが、アイコン枠４５４に表示されたロール紙７をイメージする画像に用紙が十分にあり安心して印刷できることをイメージする「○」を重畳しても良い。用紙種類枠４５５、用紙幅枠４５６、用紙残量枠４５７には、用紙情報取得部３１により取得された用紙情報をそれぞれ表示する。
【００９６】
ロール紙７の用紙残量が「無し」の場合に表示される表示画面は、図示しないが、アイコン枠４５４に表示されたロール紙７をイメージする画像に代えて用紙が無くなりロール紙７の芯をイメージする画像を上書きしても良い。用紙種類枠４５５、用紙幅枠４５６、用紙残量枠４５７には、用紙情報取得部３１により取得された用紙情報をそれぞれ表示する。
【００９７】
このような変形例によれば、ロール紙７の用紙残量に関する情報を正確にユーザーに報知することができる。ユーザーは、ロール紙７を新しいロール紙７と取り替えるタイミングを予測することができる。
【００９８】
（変形例２）
図７および図８を用いて説明する。
図７（ａ）、（ｂ）および図８（ｃ）、（ｄ）は、変形例２における情報表示画面の一例を示す図である。また、これらは、ロール紙未装着状態であることを表す情報表示画面の変形例である。
上述の実施形態では、ロール紙７が未装着状態である場合に、情報表示画面４５１（図５）のように給紙装置名枠４７１およびメッセージ枠４５３のみで構成される表示画面を例示したが、この構成に限定されない。ロール紙７が未装着であることを表すアイコンを含める構成であっても良い。
【００９９】
図７（ａ）に示す情報表示画面４６１は、給紙装置名枠４７１とアイコン枠４５４とが含まれており、アイコン枠４５４にはロール紙７をイメージする画像に使用禁止をイメージする画像が重畳されたアイコンが表示されている。
【０１００】
図７（ｂ）に示す情報表示画面４６２は、給紙装置名枠４７１とアイコン枠４５４とが含まれており、アイコン枠４５４にはロール紙７をイメージする画像に使用できないことをイメージする画像が重畳されたアイコンが表示されている。
【０１０１】
図８（ｃ）に示す情報表示画面４６３は、給紙装置名枠４７１、メッセージ枠４５３、アイコン枠４５４、用紙種類枠４５５、用紙幅枠４５６、用紙残量枠４５７が含まれている。アイコン枠４５４には、ロール紙７をイメージする画像が表示され、メッセージ枠４５３には、「ロール紙が未装着です」が表示されている。用紙種類枠４５５、用紙幅枠４５６、用紙残量枠４５７の枠内は空白の状態で表示され、それぞれを説明する文字がグレーアウトされている。
【０１０２】
図８（ｄ）に示す情報表示画面４６４は、給紙装置名枠４７１、メッセージ枠４５３、アイコン枠４５４が含まれている。アイコン枠４５４には、ロール紙７をイメージする画像に使用できないことをイメージする画像が重畳されて表示されている。メッセージ枠４５３には、「ロール紙が未装着です」が表示されている。
このような変形例に示す各情報表示画面においても、ユーザーにわかりやすい表現を実現できる。
【０１０３】
（変形例３）
上述の実施形態および変形例では、対応テーブル４１（図４）は、予め記憶部４０に記憶されるとしているが、この構成に限定されず、対応テーブル４１は都度更新される構成であっても良い。このように構成することで、例えば、プリンター５０のセンサー部６０に更に詳細な情報を取得する新たなセンサーが追加されたような場合に、その情報に基づいて対応テーブル４１を更新する。
これにより、表示情報４２１のバリエーションを更に増やすことができ、プリンター５０の用紙に係わる状況を的確にユーザーに提供することができる。
【０１０４】
（変形例４）
上述の実施形態および変形例では、対応テーブル４１（図４）は、記憶部４０に１つ記憶されているとしているが、この構成に限定されず、対応テーブル４１は、接続されている印刷装置毎に複数個記憶されていても良い。このように構成することで、印刷システム１００に接続されている印刷装置がそれぞれ異なる仕様を有している場合、印刷装置固有の仕様に合った情報をユーザーに提供することができる。
【符号の説明】
【０１０５】
１…オフィス、３…ＬＡＮ、５…印刷室、７…ロール紙、１０…ＰＣ、１３…表示部、１５…操作部、１７…通信部、１９…時計部、３０…制御部、３１…用紙情報取得部、３３…表示画面生成部、４０…記憶部、４１…対応テーブル、４５…表示画面データ、５０…プリンター、５１…印刷部、５３…操作部、５５…通信部、６０…センサー部、６１…アダプター着脱センサー、６３…用紙幅センサー、６５…用紙残量センサー、６７…用紙切れセンサー、７１…給紙装置、７３…アダプター、７５…アダプターホルダー、７７…ロックレバー、８０…制御部、８１…コマンド受付処理部、８３…アダプター着脱取得部、８５…用紙種類取得部、８７…用紙幅取得部、９１…用紙残量算出部、９３…用紙切れ取得部、９５…用紙残量マーカー部、１００…印刷システム、４１１…用紙情報、４１２…アダプター装着有無、４１３…用紙種類設定有無、４１４…用紙幅取得有無、４１５…残量情報取得有無、４１６…用紙残量の有無、４２１…表示情報、４２２…状態メッセージ、４２３…行動メッセージ、４２４…ロール紙アイコン、４２５…用紙種類表示内容、４２６…用紙幅表示内容、４２７…用紙残量表示内容、４５１…情報表示画面、４５３…メッセージ枠、４５４…アイコン枠、４５５…用紙種類枠、４５６…用紙幅枠、４５７…用紙残量枠、４７１…給紙装置名枠、５３１…操作パネル。
【図１】
2016031575.tif 000003
【図２】
2016031575.tif 000004
【図３】
2016031575.tif 000005
【図４】
2016031575.tif 000006
【図５】
2016031575.tif 000007
【図６】
2016031575.tif 000008
【図７】
2016031575.tif 000009
【図８】
2016031575.tif 000010